(57)【要約】【課題】折込みチラシに代わる店舗売出し商品の情報提供システムであって、紙へのプリントアウトをせずに、簡単に買い物メモが作成でき、かつインターネットよりもより手軽な手段を用いることが可能なチラシ情報提供システムを提供することを課題とする。【解決手段】コンテンツを受信するコンテンツ受信手段と、前記コンテンツを記憶するコンテンツ記憶手段と、コンテンツコード等が記録されているペーパー状表示媒体からコンテンツコード等を読取るコンテンツコード読取り手段と、前記コンテンツコード読取り手段が読取ったコンテンツコード等に対応するコンテンツを前記コンテンツ記憶手段から取得するコンテンツ取得手段と、前記コンテンツ取得手段が取得したコンテンツをペーパー状表示媒体上に表示する制御手段と、を備える情報提供システムをデジタル放送サービスを利用して実現することにより上記課題を解決する。【選択図】　図１
2004102729.tif 000002
【特許請求の範囲】
【請求項１】
コンテンツを受信するコンテンツ受信手段と、前記コンテンツを記憶するコンテンツ記憶手段と、コンテンツコードおよび属性コードが記録されているペーパー状表示媒体からコンテンツコードおよび属性コードを読取るコンテンツコード読取り手段と、前記コンテンツコード読取り手段が読取ったコンテンツコードおよび属性コードに対応するコンテンツを前記コンテンツ記憶手段から取得するコンテンツ取得手段と、前記コンテンツ取得手段が取得したコンテンツをペーパー状表示媒体上に表示する制御手段と、を備えることを特徴とする情報提供システム。
【請求項２】
コンテンツを受信するコンテンツ受信手段と、前記コンテンツを記憶するコンテンツ記憶手段と、前記コンテンツ記憶手段に記録されているコンテンツを利用者が任意に選択し任意に１画面に編集可能とするコンテンツ選択編集手段と、前記コンテンツ選択編集手段が選択編集したコンテンツをペーパー状表示媒体上に表示する制御手段と、を備えることを特徴とする情報提供システム。
【請求項３】
コンテンツを受信するコンテンツ受信手段と、前記コンテンツを記憶するコンテンツ記憶手段と、コンテンツコード及び属性コードが記録されているペーパー状表示媒体からコンテンツコード及び属性コードを読取るコンテンツコード読取り手段と、前記コンテンツコード読取り手段が読取ったコンテンツコード及び属性コードに対応するコンテンツを前記コンテンツ記憶手段から取得するコンテンツ取得手段と、前記コンテンツ取得手段が取得したコンテンツについてさらに利用者が任意に選択し任意に１画面に編集可能とするコンテンツ選択編集手段と、前記コンテンツ選択編集手段が選択編集したコンテンツをペーパー状表示媒体上に表示する制御手段と、を備えることを特徴とする情報提供システム。
【請求項４】
請求項１から請求項３のいずれかに記載の情報提供システムにさらに、店舗等に設置されるペーパー状表示媒体読取り書込み装置を付け加えて構成したポイントシステムであって、前記制御手段は、前記コンテンツ取得手段が取得したコンテンツまたは前記コンテンツ選択編集手段が選択編集したコンテンツをペーパー状表示媒体上に表示するだけでなくポイント情報をも表示するように構成したポイントシステム。
【請求項５】
請求項１から請求項３のいずれかに記載の情報提供システムであって、コンテンツは蓄積番組として提供され、コンテンツ受信手段およびコンテンツ記憶手段はデジタル放送対応受信機を用いる情報提供システム。
【請求項６】
請求項５に記載の情報提供システムにさらに、店舗等に設置されるペーパー状表示媒体読取り書込み装置を付け加えて構成した請求項４に記載のポイントシステム。
【発明の詳細な説明】
【０００１】
【発明の属する技術分野】
本発明は、紙媒体のチラシに代わる店舗売出し商品の情報提供システムおよびポイントシステムに関する。
【０００２】
【従来技術】
店舗の売出し商品情報を生活者に伝えるメディアとしては古くから新聞折込みチラシが使われている。また、インターネットを利用したチラシ情報の配信システムとしては、特許文献１がある。
【０００３】
【特許文献１】
特開２００２−４９８３１号公報（第１−８頁、第１−４図）
【０００４】
【発明が解決しようとする課題】
現在広く使用されている紙媒体のチラシでは、店舗で売出される商品を多数掲載するため、新聞紙サイズの大きなサイズの紙が使われており、必要な商品だけ購入したい個々の生活者には使いにくいものとなっている。小売業者の側からみれば、掲載商品の決定をチラシ配布日の１〜数週間前に決定しなければならないという問題点がある。
【０００５】
特許文献１は、取扱い商品情報と、各店舗毎の売出し商品リストとを格納した売出し情報データベースと、各店舗の売出し情報を提供する形式に編集する売出し案内作成手段とを備えて、各店舗の売出し情報をネットワークを通じて利用者に配信する売出し情報配信サーバーシステムであって、
前記売出し情報データベースに、各店舗毎のタイムサービス情報を記録するタイムサービステーブルを備え、前記売出し案内作成手段が、店舗の売出し案内を作成する際に、前記タイムサービステーブルの内容を調べて、売出し商品の情報だけでなくその店の当日のタイムサービス予定をも含めて掲載した案内を作成して、利用者に提供することができるようにしたことを特徴とする売出し情報配信サーバーシステムにより上記課題を解決することを要旨とした売出し情報配信サーバーシステムである。
【０００６】
特許文献１に記載のシステムによれば、店の売出し情報をリアルタイムに、必要であれば生活者の個人属性に合致したものだけを選択して提供することができるという新聞折込みチラシにない優れた特徴を有する。特許文献１に記載のシステムの利用者は、情報提供された商品を購入するために店に向かう際、自らメモを作成しない場合は、掲載商品をコンピュータに接続されたプリンタに出力して来店することが考えられるが、このような場合は、往々にして必要以上に用紙を使う場合が多く、必要分だけプリントアウトしたとしても用紙は１回限りで役に立たなくなってしまうので、紙資源を必要以上に消費することになりがちである。また、家庭にインターネット接続環境を整えなければならないため、高齢者世帯などはやや敷居が高いという問題点もある。
【０００７】
本発明はこのような問題点を考慮してなされたものであり、折込みチラシに代わる顧客を呼び込むためのお買得商品の情報提供システムであって、紙へのプリントアウトをせずに、簡単に買い物メモが作成でき、かつインターネットよりもより手軽な手段を用いることが可能なチラシ情報提供システムを提供することを課題とする。
【０００８】
【課題を解決するための手段】
課題を解決するための第１の発明の第１の態様は、コンテンツを受信するコンテンツ受信手段と、前記コンテンツを記憶するコンテンツ記憶手段と、コンテンツコードおよび属性コードが記録されているペーパー状表示媒体からコンテンツコードおよび属性コードを読取るコンテンツコード読取り手段と、前記コンテンツコード読取り手段が読取ったコンテンツコードおよび属性コードに対応するコンテンツを前記コンテンツ記憶手段から取得するコンテンツ取得手段と、前記コンテンツ取得手段が取得したコンテンツをペーパー状表示媒体上に表示する制御手段と、を備えることを特徴とする情報提供システムである。
【０００９】
コンテンツとは、一般に流通価値のある情報あるいはデータを指すが、本発明では、無償で提供される情報あるいはデータも含まれる。コンテンツコードは、そのような情報の種類を特定する。情報の種類とは、情報提供者が便宜的に定めるもので一概に規定することはできない。しばしば、発行日が異なるものの提供目的が同じ情報、提供対象者が同じ情報は一つの情報の種類を構成する。属性コードは、一の種類の情報の中で、さらに、提供目的や対象者について細かく特定したい場合に付与するコードである。
【００１０】
したがって、第１の発明に係る情報提供システムによれば、ある情報を、コンテンツコードが記録されたペーパー状表示媒体を所有する対象者に提供するのであるが、受け手の側で、所有するペーパー状表示媒体に記録される属性コードにより、その属性コードに合致したコンテンツの内容だけを提供することになる。
【００１１】
第１の発明の異なる２番目の態様は、属性コードを用いずに、その代わりコンテンツ選択編集手段を構成要素として加えた情報提供システムであって、
コンテンツを受信するコンテンツ受信手段と、前記コンテンツを記憶するコンテンツ記憶手段と、前記コンテンツ記憶手段に記録されているコンテンツを利用者が任意に選択し任意に１画面に編集可能とするコンテンツ選択編集手段と、前記コンテンツ選択編集手段が選択編集したコンテンツをペーパー状表示媒体上に表示する制御手段と、を備えることを特徴とするシステムである。
【００１２】
このようなシステムによれば、ペーパー状表示媒体に、情報の受け手が必要とする情報だけを任意に選択して表示・記録させることができる。ペーパー状表示媒体は折りたたんで携帯することも可能であるので、電子的なメモとして利用することができる。
【００１３】
第１の発明のさらに望ましい第３の態様は、コンテンツを受信するコンテンツ受信手段と、前記コンテンツを記憶するコンテンツ記憶手段と、コンテンツコード及び属性コードが記録されているペーパー状表示媒体からコンテンツコード及び属性コードを読取るコンテンツコード読取り手段と、前記コンテンツコード読取り手段が読取ったコンテンツコードおよび属性コードに対応するコンテンツを前記コンテンツ記憶手段から取得するコンテンツ取得手段と、前記コンテンツ取得手段が取得したコンテンツについてさらに利用者が任意に選択し任意に１画面に編集可能とするコンテンツ選択編集手段と、前記コンテンツ選択編集手段が選択編集したコンテンツをペーパー状表示媒体上に表示する制御手段と、を備えることを特徴とする情報提供システムである。
【００１４】
第１の発明のさらに望ましい第４の態様は、第１の態様から第３の態様に係る情報提供システムのいずれかのシステムにさらに、店舗等に設置されるペーパー状表示媒体読取り書込み装置を付け加えて構成したポイントシステムであって、前記制御手段は、前記コンテンツ取得手段が取得したコンテンツまたは前記コンテンツ選択編集手段が選択編集したコンテンツをペーパー状表示媒体上に表示するだけでなくポイント情報をも表示するように構成したポイントシステム。
【００１５】
すなわち、ポイントは、人が見てわかるように表示されなければならないから、ポイントを表示する領域にはコンテンツ情報を印刷しないように制御するか、またはポイントを表示する領域にコンテンツ情報を印刷しても、ポイント情報を白抜きにして表示するなどポイント情報が読取れるように表示記録しなければならない。また、ポイント情報は、前記ペーパー状表示媒体読取り書込み装置が認識できるように記録されなければならない。そのため、ポイント表示領域は、人が読取れるよう得点スコアを表示するとともに、機械が読取れるようバーコード又は２次元コードを表示する。
【００１６】
第１の発明のさらに望ましい第５の態様は、コンテンツは蓄積番組として提供され、コンテンツ受信手段およびコンテンツ記憶手段はデジタル放送対応受信機を用いる第１の態様から第３の態様に係る情報提供システムである。
【００１７】
デジタル放送は、２０００年よりＢＳデジタル放送が、２００２年よりＣＳデジタル放送がスタートしている。地上波デジタル放送も今後予定されている。これらのデジタル放送サービスはデータ放送サービスを行っており、双方向通信機能を備えたデジタル放送対応受信機との組合わせにより、視聴者に対話的な機能を付加した放送番組を提供することができる。また２００２年よりスタートしたＣＳデジタル放送では、蓄積型データ放送サービスも提供している。蓄積型データ放送サービスは、通常の番組とは別に、ハードディスク内蔵の受信機に自動的に蓄積記録される蓄積型データ放送番組（以下「蓄積番組」と記す）を放送するサービスである。視聴者は、都合のよい時間に、蓄積された番組を再生してその内容を楽しむことができる。
【００１８】
デジタル放送のデータ放送コンテンツの記述言語としては、ＢＭＬ（Ｂｒｏａｄｃａｓｔ　Ｍａｒｋｕｐ　Ｌａｎｇｕａｇｅ）が用いられる。ＷＷＷブラウザがＨＴＭＬ（ＨｙｐｅｒＴｅｘｔ　Ｍａｒｋｕｐ　Ｌａｎｇｕａｇｅ）データを解釈してコンピュータ画面に表示するのと同じように、データ放送に対応した受信機は、ＢＭＬで記述されたデータ放送コンテンツデータを解釈してＴＶ画面に表示する機能を備えている。またＢＭＬは、データ放送画面上で動的な動作を表現可能とするために、ＥＣＭＡＳｃｒｉｐｔという手続き記述言語で、処理手順を記述させることができる。ＥＣＭＡＳｃｒｉｐｔは、オブジェクト指向スクリプト言語である。そして、ＴＶ画面の表示制御だけでなく受信機の不揮発メモリにデータを記録したり、番組の録画予約などのための様々な放送サービス用拡張関数が用意されている。このようなＢＭＬに記述されたスクリプトをＢＭＬスクリプトと記す。第５の態様に係る情報提供システムでは、このデジタル放送サービスの蓄積型放送サービスを利用する。
【００１９】
第１の発明のさらに望ましい第６の態様は、コンテンツは蓄積番組として提供され、コンテンツ受信手段およびコンテンツ記憶手段はデジタル放送対応受信機を用いる第４の態様に係るポイントシステムである。
【００２０】
【発明の実施の形態】
以下図面を用いて、本発明の好適な実施形態について説明する。
【００２１】
［情報提供システムの概略構成］
図１に本発明の実施形態に係る情報提供システム１（以下システム１）の概略構成を示す。図１において、システム１は、ユーザー環境１００、放送局２００、コンテンツ制作会社３００、コードセンター５００、中継衛星１７、地上波中継基地２０およびコンテンツ提供会社４００により構成されている。情報提供システム１は、チラシ情報の配布手段としてデジタル放送サービスを利用するものである。
【００２２】
コンテンツ提供会社４００は、本実施形態では小売店舗を幾つか抱えた小売業者である。コンテンツ制作会社３００は、小売業者４００からチラシ掲載商品の情報を受け、これを加工編集してデジタル放送の蓄積番組として制作し、これを放送局２００に納める。
【００２３】
放送局２００は、コンテンツ提供会社３００が制作した番組をデジタル放送の蓄積番組として放送する。放送波は、デジタル放送サービスがＢＳまたはＣＳによる放送サービスの場合は中継衛星１７を経由して、または、地上波デジタル放送サービスの場合は地上波中継基地２０を経由して、視聴者宅に設置された受信アンテナ１０で受信される。
【００２４】
ユーザ環境１００は、受信装置２、リモコン３、表示制御装置４、ディスプレイ５から構成されている。システム１はチラシ情報の配布手段としてデジタル放送サービスを利用するものなので、ユーザ環境１００は各視聴者宅に設置される受信再生機器の環境である。
【００２５】
受信装置２は、アンテナ１０を有し、ハードディスク６、チューナー７、コントローラ８及びコンテンツリスト９を内蔵しており、リモコン３が付属されている。アンテナ１０は、中継衛星１７または地上波中継基地２０より送られてくる放送波を受信する。ユーザはリモコン３又はディスプレイ５の画面タッチパネル等によって、任意に受信装置２を操作することができる。また、受信機２にはコンテンツ選択編集手段が備えられている。
【００２６】
ハードディスク６の記録スペースは、論理的には、ユーザエリアとサービスエリアに分けて管理される。ユーザエリアは、デジタル放送の視聴者であるユーザが任意に放送番組の録画等に用いることができるエリアである。一方サービスエリアは、蓄積型番組をユーザの意図とは無関係に蓄積番組を自動的に蓄積するために使用する記憶スペースである。本実施形態では、小売業者の売出し商品情報は定期的にサービスエリアに蓄積される。
【００２７】
チューナー７は、蓄積型デジタル放送サービスを行うデジタル放送電波を受信し、通常放送の、あるいは蓄積番組を再生した時の映像音声信号を出力する。また、コントローラ８は、ＣＰＵを内蔵しており、受信装置２全体を制御する。また、表示制御装置４内蔵の識別コントローラ１１からのリクエストを受けて、コンテンツリスト９やハードディスク６の内容を参照してその記録内容を表示制御装置４にレスポンスとして返す動作も行う。
【００２８】
コードセンター５００は、コンテンツ提供会社からのリクエストにより、各コンテンツ提供会社が提供する蓄積コンテンツにユニークにコンテンツコードを割当てる。割当てたコードはコードセンター５００が管理するコードデータベースに記録される。コンテンツコードは、表示制御装置４の識別コントローラ１１がコンテンツリスト９を参照して様々なコンテンツ提供会社が提供するコンテンツの中から所望のコンテンツを選択する仕組みを実現するために必要なものである。
【００２９】
コンテンツリスト９は、図３に示すように、コンテンツコード、コンテンツ名、バックナンバーから構成されており、ハードディスク６のサービスエリア内に蓄積された番組（のコンテンツ）の情報をリスト化して記憶している。
【００３０】
４は、表示制御手段である。識別コントローラ１１及びコードリーダ１２を内蔵している。識別コントローラ１１は、マイクロプロセサを主体としたＣＰＵで構成されており、表示制御装置４の動作を制御する。コードリーダー１２は、コード記録済みペーパー状表示媒体１９に記録された識別情報であるコンテンツコードと店舗コードを読取る。店舗コードについては後述する。即ち、表示制御装置４は、まずコードリーダー１２によってコード記録済みペーパー状表示媒体１９に記録された識別情報を読取り、当該識別情報に基づいて、識別コントローラ１１が表示制御装置４を制御する。表示制御装置４は、識別コントローラ１１の制御により、コンテンツリスト９を参照した後、ハードディスク６から、コード記録済みペーパー状表示媒体１９に記録されたコンテンツコードに対応するコンテンツを抽出する。実際にはこれらの動作は、識別コントローラ１１が受信装置２のコントローラ８に対してリクエストメッセージを送りつけ、コントローラ８がそのリクエストにしたがって、コンテンツリスト９やハードディスク６にアクセスした結果を識別コントローラ１１に応答として返すことによりなされる。外見上は、表示制御装置４が、受信装置２に蓄積されているコンテンツを直接呼出しているかのように動作する。
【００３１】
［コンテンツ］
図２は、ハードディスク６のディレクトリ構成を模式的に表したものである。図２によりサービスディレクトリ（サービスエリアの最上位ディレクトリ）以下にどのように蓄積番組が記録されているかがわかる。コンテンツコードを割当てられた蓄積番組コンテンツは、サービスディレクトリの直下に各コードごとにフォルダを形成する。この階層のフォルダをコンテンツフォルダと呼ぶ。これらの各フォルダに該当する蓄積番組が過去のバックナンバーをも含めて記録される。詳細は後述するが、コンテンツコードは、コード記録済みペーパー状表示媒体に記録された不変コードの中に含まれる。なお、本実施形態の説明中では「番組」あるいは「蓄積番組」と「コンテンツ」はほぼ同義である。前者は放送サービスあるいは放送技術の用語であり、後者は受け手にとって価値のある情報またはデータを意味する。
【００３２】
なお、放送局２００は、コンテンツ提供会社４００の要望により、蓄積番組を放送する際、コンテンツの記録場所を指定する情報をデータとして添付する。このデータは、当然にコンテンツコードに相当する情報を含んでいるのであるが、このデータにしたがって、蓄積番組として放送されるコンテンツが所定のフォルダに自動的に記録される。ハードディスク６のサービスディレクトリ下には、００７Ａ以外のコンテンツコードを持つ他の蓄積番組もコンテンツの記録場所を指定する情報を伴って放送されそれぞれが所定のフォルダに納められる。この際、サービスディレクトリが一杯になる場合は、古いコンテンツが消されて、そのスペースが新しいコンテンツの記録スペースとして割当てられる。
【００３３】
［コンテンツリスト］
図３はコンテンツリスト９を示す。コンテンツリスト９は、コンテンツコード、コンテンツ名、バックナンバー及び属性から構成されている。コンテンツリスト９は、ハードディスク６内のサービスディレクトリ配下に蓄積されたコンテンツを、管理の便宜上リスト化して記憶している。
【００３４】
［ペーパー表示媒体］
図４（ａ）にコード記録済みペーパー状表示媒体１９の外観を示す。コード記録済みペーパー状表示媒体１９とは、後述する不変コード３１及び可変コード３２が記録されたペーパー状表示媒体をいう。コード記録済みペーパー状表示媒体１９は、不変コード３１、可変コード３２、ポイント数表示エリア３４、コンテンツ表示エリア３５から構成されている。本実施形態では、コンテンツ提供会社である小売業者４００が不変コード１３および可変コード３２を記録して、これを顧客に貸与する。なお。ペーパー状表示媒体とは、紙のように薄く、ある程度の柔軟性を持ち、書換可能な表示媒体であり、一般に電子ペーパー若しくはデジタルペーパー等と呼ばれるものを含む。
【００３５】
書換可能とは、ロイコ系可逆性感熱記録方式であれば、ペーパー状表示媒体に熱処理等を加えることで、一度表示した内容を消去した上で、新しい情報を表示することを意味する。ペーパー状表示媒体は、例えばロイコ系可逆性感熱記録方式のものであれば、５００回程度は書換可能であるため、保存はできないが再利用により資源を効率的に使用することができる。なお、ペーパー状表示媒体としては、ロイコ系可逆性感熱記録方式による表示媒体、高分子分散型液晶、カイラルネスティック液晶、コレステリック液晶による表示媒体、または電気泳動法式による表示媒体など種々の表示媒体を利用することができる。
【００３６】
不変コード３１とは、ペーパー状表示媒体において何度書き換えを行っても変化することのない固定的な情報である。本実施形態では、図４（ｂ）に示すように、▲１▼コンテンツコード（００７Ａ）、▲２▼使用回数上限値（例：１００回）、▲３▼対応番組コード（００７）、▲４▼店舗コード、▲５▼メディアのデータ（メーカー、表示制御特性、他）が不変コード３１として記録される。
【００３７】
可変コード３２とは、ペーパー状表示媒体の利用過程で変化する可変な情報である。ペーパー状表示媒体の使用回数などは可変コード３２の一部である。また、図４（ａ）の３４、３６は、ユーザーが読取れる可変情報を記録するエリアである。可変コード３２に記録される情報の一部が３４、３６に人間が読取れる形態で表示されてもよい。また、コンテンツ表示エリア３５は、コンテンツを表示するエリアである。
【００３８】
不変コード３１に納められる情報は機械が可読な情報でなければならない。したがって不変コード３１は、例えば固定情報の内容を持つ印刷されたバーコード又は２次元コードでもよい。あるいは固定情報を記憶させたＲＦＩＤ（Ｒａｄｉｏ　Ｆｒｅｑｕｅｎｃｙ　ＩＤｅｎｔｉｆｉｃａｔｉｏｎ　Ｓｙｓｔｅｍ）を表示媒体に埋め込んで実現してもよい。同じく可変コード３２に納められる情報も機械が可読な情報でなければならない。したがって、コンテンツ表示エリア３５と同様な書換可能領域に可変情報の内容をバーコード又は２次元コードで印字して実現してもよいし、表示媒体に埋め込まれたＲＦＩＤに可変情報を記録させて実現してもよい。
【００３９】
［コードの記録］
次に、不変コード３１及び可変コード３２のペーパー状表示媒体への記録について図５を参照して説明する。図５は、不変コード３１および可変コード３２の記録後におけるペーパー状表示媒体の物理的構造を示す断面図である。
【００４０】
まず、図５（ａ）に示すように、コードがバーコードまたは２次元コードであった場合、フィルムや紙等の基材４０の上に不変コード３１を記録し、ロイコ染料をはじめとする感熱発色剤４１をコーティングする。そして、可変コード３２は、感熱発色剤４１によるコーティングの上から記録する。
【００４１】
なお、図５（ｂ）に示すように、不変コードがＲＦＩＤであった場合は、フィルムや紙などの基材４０に不変コードを記憶したチップ３１ａを埋め込み、ロイコ染料をはじめとする感熱発色剤４１をコーティングする事ができる。そして、可変コード３２は、感熱発色剤４１によるコーティングの上から記録することができる。また、可変コードをＲＦＩＤとして、ペーパー状表示媒体に埋め込むこともできる。その場合、図５（ｃ）に示すように、可変コードを記憶したチップ３２ａは、基材４０に組込まれる。さらに図５（ｃ）における、不変コード用ＲＦＩＤ３１ａと可変コード用ＲＦＩＤ３２ａを一つのチップで構成することもできる。
【００４２】
所定のコンテンツなどをはじめとするペーパー状表示媒体に表示される書き換え可能な情報は、コーティングしている感熱発色剤４１上に表示される。即ち、基材４０ではなく、感熱発色剤４１に表示されている。そのため、感熱発色剤４１に記録された可変コード３２も書換可能なコードとなる。
【００４３】
一方、不変コード３１は、基材４０に記録されているため、感熱発色剤４１において何度情報が書き換えられても、不変コード３１が変化することはない。また、チップ３１ａ等に記録された不変コードも同様である。
【００４４】
［情報提供処理］
以上、本実施形態に係るシステム１の概略構成、コンテンツ、コンテンツリスト、ペーパー表示媒体と媒体へのコードの記録について説明した。次に、システム１を用いた情報提供処理を、処理の流れに沿って、コンテンツ蓄積の処理、メディア作成配布の処理、メディアの使用の順に説明してゆく。
【００４５】
［コンテンツ蓄積］
図８は、本システムにおけるコンテンツ蓄積処理の流れを示したフロー図である。以下、コンテンツ蓄積処理の流れを図８にしたがって説明する。
【００４６】
まず、コンテンツ提供会社４００は、提供するコンテンツについてのコンテンツコードをコード管理センター５００に申請する。コード管理センター５００は、既に発行したコードと重複しないコードを割当てて、これをコード管理データベースに登録するとともに、それをコンテンツ提供会社４００へ伝える。こうしてコンテンツコードが決定する（Ｓ１０）。コンテンツ提供会社４００は、コンテンツコードや属性項目の内容を放送局に伝える（Ｓ１４）。放送局２００は、特別な蓄積型番組により、コンテンツ提供会社から受けたコンテンツコード及び属性データを放送して、その情報を受信装置２に伝える（Ｓ１５）。
【００４７】
ユーザー環境１００において、受信装置２は、前記特別な蓄積型番組を受信する。受信機２のコントローラ８は、受信した番組に添付されているコンテンツコード及び属性データを、図２に示すハードディスク内のサービスディレクトリ直下の新しいフォルダに記録する（Ｓ１６）さらに、コントローラ８は、コンテンツコード及び属性データに基づいて図３に示すコンテンツリスト９を作成し、コンテンツコード及びコンテンツ名を記録する（Ｓ１７）。要約すればこの特別な蓄積型番組は、００７Ａのコード記録済みペーパー状記録媒体が表示制御装置４に挿入された時に、識別コントローラ１１が正しくコンテンツコード００７Ａの蓄積コンテンツを抽出することができるように必要な設定を行うのである。また、これらの設定処理は、特別な蓄積番組のデータにＢＭＬ（Ｂｒｏａｄｃａｓｔ　Ｍａｒｋｕｐ　Ｌａｎｇｕａｇｅ）のスクリプトを含ませて放送し、コントローラ８がこのスクリプトを解釈することにより実行されるように実現してもよい。
【００４８】
一方、コンテンツ提供会社、即ち、小売業者４００は、不変コード３１および可変コード３２を記録したペーパー状表示媒体（以下メディア）を用意し、各店舗で来店者に配布する（Ｓ３６）。不変コード３１にはコンテンツコード＋店舗コードが含まれる。可変コード３２には、使用回数（初期値零）、獲得ポイント数の初期値が記録される。
【００４９】
コンテンツ制作会社３００は、コンテンツ提供会社４００から、必要な指示と必要なデータの供給を受けコンテンツデータを作成し、放送局２００に納品する（Ｓ１８）。本実施形態においては、新聞折込みチラシの発行頻度、例えば毎週金曜日など、と同じ間隔でコンテンツデータが制作され放送局に納品される。
【００５０】
放送局２００は、受取ったコンテンツデータにコンテンツコード等必要なデータを付加して、蓄積型番組としての形式を整えて放送する（Ｓ１９）。ユーザ環境１００では、受信装置２のコントローラは、受信したコンテンツデータを該当するコンテンツコードのフォルダに格納する。（Ｓ２１）。
【００５１】
図８で、Ｓ１０からＳ１７は１回処理すればよい。いわば初期設定の処理である。Ｓ１８→Ｓ１９→Ｓ２１は、毎回（例えば毎週）繰返されるルーチンワークである。
【００５２】
［メディア作成配布の処理］
前記ステップＳ３６の処理である。
【００５３】
［コード記録済みペーパー状表示媒体（メディア）の使用］
図９は、メディアの使用時の流れを示したフロー図である。ユーザーはメディア１９を表示制御装置４へセットする（Ｓ４０）。表示制御装置４のコードリーダー１２は、メディア１９に記録されている不変コード３１、可変コード３２を読取る（Ｓ４２）。読みとった情報（コンテンツコード＋店舗コード）は表示制御処理のリクエストメッセージに添付されて受信機２のコントローラ８へ送付される。
【００５４】
次に、受信機２のコントローラ８は、コンテンツリスト９を読み出し、メディアが記録していたコンテンツコードと一致するコードがリスト上に存在するかどうかを検査する（Ｓ４３）。一致するコンテンツコードの記録がコンテンツリスト上に存在しない場合は、表示制御装置４上で「表示できません」と表示する（Ｓ４５）。表示制御装置４の識別コントローラ１１にその旨返答する。一方、一致するコンテンツコードが存在する場合は、コントローラ８は、そのコンテンツコードと、添付されて受取った店舗コードをキーにして、該当するコンテンツコードに対応したコンテンツフォルダに格納されたコンテンツデータから、店舗コードに合致する情報だけを抽出してＴＶモニタ５に表示する。例えば図６に示すようなリストにして表示する。この後、コンテンツ選択編集手段として動作する、商品の選択と編集を行う商品選択編集プログラムが起動して、ユーザーのリモコン入力待ちとなる（Ｓ５０）。ユーザーはリモコンを操作してＴＶモニタ画面から商品を選択する。商品選択編集プログラムの仕様によっては、選択された商品をメディアの１画面に納めるようにサイズの変更も含めた編集機能を持たせることも可能である。ユーザーが選択編集終了を意味する操作を行うことにより、商品の選択と編集を行うプログラムは、選択された商品データとレイアウトデータを表示制御装置４の識別コントローラ１１に返送する。識別コントローラ１１それらのデータに基づいてＴＶモニタ上に表示した商品情報をその体裁でメディア上に表示（記録）する（Ｓ５２）。図７はそのようにして商品情報が表示・記録されたメディアのイメージ図である。６個の商品が選択され１画面に編集された例を示している。
【００５５】
ユーザーは、自分が必要とする商品情報だけを図７に示すように１枚のメディアに集約して、店舗へ向かうことができる。このようにして、新聞折込みチラシと同様な機能をより使い易い形態で提供できる。
【００５６】
商品選択編集プログラムは、毎回蓄積番組データにＢＭＬスクリプトとして含ませて受信機２に格納させるようにしてもよい。
【００５７】
なお、小売業者４００は、商品情報が表示・記録されたメディアに掲載された商品の一部又は全部を割引クーポン券とすることで、顧客のメディア利用を促すことができる。これは結果的に店舗への来店促進を促す。図７はそのような場合の商品情報が表示・記録されたペーパー状表示媒体のイメージ図である。３９はクーポン券として使えることを表示している。実際には、クーポン対象商品の印字内容に商品のＪＡＮコード等の商品を特定する機械読取り可能なコードを含める必要がある。
【００５８】
また、不変コード３１および可変コード３が記録されたメディア自体をポイントカードとして使用することも可能である。可変コード３の内容に累積獲得ポイントを含めればよい。小売業者４００の各店舗には、リーダーライター装置２３を用意しておけばよい。リーダーライター装置２３は、ロイコ染料をはじめとする感熱発色剤を用いるリライトカード用のリーダーライター装置と同様の読取りヘッドおよび印字ヘッドを備えて実現することができる。
【００５９】
このようにコード記録済みペーパー表示媒体１９をクーポン券として使用したり、ポイントカードとして使用すれば、メディアの利用が促進され、生活者は便利になり、同時に、結果的に折込みチラシの作成配布やインターネットで提供されるチラシ情報を紙に印字することによる紙資源の消費を抑えることができる。
【００６０】
【発明の効果】
以上、詳しく説明したように、本発明に係る情報提供システムを利用すれば、従来の折込みチラシの代わりに、コード記録済みペーパー表示媒体を顧客と小売業店舗の間を循環するように繰返し用いることができ、１回限りの紙への印刷ではなく、必要な商品の情報だけを選択して簡単に買い物メモが作成でき、かつＴＶ放送サービスを利用することによりインターネットによる情報提供システムと比べより手軽にシステムを利用できるという顕著な効果を奏する。
【図面の簡単な説明】
【図１】本発明の実施形態に係る情報提供システム１の全体構成図である。
【図２】ハードディスク６のディレクトリ構成を模式的に表した図である。
【図３】コンテンツリスト９の説明図である。
【図４】コード記録済みペーパー状表示媒体１９の外観図（ａ）および不変コードの内容説明図（ｂ）である。
【図５】ペーパー状表示媒体の層構造の説明図である。
【図６】蓄積コンテンツの抽出結果表示画面である。
【図７】商品情報が表示・記録されたペーパー状表示媒体のイメージ図である。
【図８】システム１におけるコンテンツ蓄積処理の流れを示したフロー図である。
【図９】システム１における表示制御処理の流れを示したフロー図である。
【符号の説明】
１　　　　　　情報提供システム
２　　　　　　受信装置
３　　　　　　リモコン
４　　　　　　表示制御装置
５　　　　　　ディスプレイ
６　　　　　　ハードディスク
７　　　　　　チューナー
８　　　　　　コントローラ
９　　　　　　コンテンツリスト
１０　　　　アンテナ
１１　　　　識別コントローラ
１２　　　　コードリーダ
１７　　　　中継衛星
１９　　　　コード記録済みペーパー状表示媒体
２０　　　　地上波中継基地
２３　　　　ペーパー状表示媒体リーダーライター
１００　　受信環境
２００　　放送局
２０９　　放送アンテナ
３００　　コンテンツ制作会社
４００　　コンテンツ提供会社（小売業者）
５００　　コードセンター
【図１】
2004102729.tif 000003
【図２】
2004102729.tif 000004
【図３】
2004102729.tif 000005
【図４】
2004102729.tif 000006
【図５】
2004102729.tif 000007
【図６】
2004102729.tif 000008
【図７】
2004102729.tif 000009
【図８】
2004102729.tif 000010
【図９】
2004102729.tif 000011